(57)【特許請求の範囲】
【請求項１】
胴部において、口部の中心軸線を径方向で挟んで互いに対向して位置する一対の側面領域にそれぞれ、指当て用凹部が形成され、前記一対の側面領域同士の間に位置する背面領域を含むこれらの指当て用凹部の相互間の全領域がグリップ部とされたピンチグリップ式ボトル型容器であって、
それぞれの指当て用凹部の底面には、前記中心軸線方向に間隔をあけて一対の凸リブが備えられ、
前記一対の凸リブ同士の前記中心軸線方向に沿った距離は、前記指当て用凹部の外周縁のうち前記口部側の上端縁と、前記一対の凸リブのうち前記口部側に位置する上側凸リブと、の前記中心軸線方向に沿った距離、及び前記指当て用凹部の外周縁のうちこの容器の底部側の下端縁と、前記一対の凸リブのうち前記底部側に位置する下側凸リブと、の前記中心軸線方向に沿った距離よりも大きくなっていることを特徴とするピンチグリップ式ボトル型容器。
【請求項２】
請求項１に記載のピンチグリップ式ボトル型容器において、
前記指当て用凹部は、前記底面と、該底面の外周縁から径方向外方に向けて立ち上がる複数の側壁面と、を備え、
前記凸リブは、前記背面領域と、前記胴部において前記背面領域の反対側に位置する正面領域と、が互いに対向する前後方向に沿って延在し、
前記凸リブの前端と、前記指当て用凹部の外周縁のうち前記正面領域側の前端縁との前記前後方向に沿った距離は、前記凸リブの後端と、前記指当て用凹部の外周縁のうち前記背面領域側の後端縁との前記前後方向に沿った距離よりも大きくなっていることを特徴とするピンチグリップ式ボトル型容器。
【発明の詳細な説明】
【技術分野】
【０００１】
本発明は、ピンチグリップ式ボトル型容器に関する。
【背景技術】
【０００２】
この種のピンチグリップ式ボトル型容器として、例えば下記特許文献１に示されるような、胴部において、口部の中心軸線を径方向で挟んで互いに対向して位置する一対の側面領域にそれぞれ、指当て用凹部が形成され、前記一対の側面領域同士の間に位置する背面領域を含むこれらの指当て用凹部の相互間の全領域がグリップ部とされた構成が知られている。更に、各指当て用凹部の底面には、前記中心軸線方向に間隔をあけて複数の凸リブが設けられ、これらの凸リブのうちの一つが、各指当て用凹部の底面おける前記中心軸線方向の中央部に設けられている。
これらの凸リブによって、この容器を持ち上げたときに指が引っ掛けられ、この容器が手から滑り落ちるのを抑えたり、あるいは指当て用凹部をグリップしたときに、この凹部の底面が陥没変形するのを抑えたりしている。
【特許文献１】特開２００７−１１９０４９号公報
【発明の開示】
【発明が解決しようとする課題】
【０００３】
ところで、前述したピンチグリップ式ボトル型容器では、例えば圧縮方向の軸力が作用したとき、あるいは内容物が充填された状態で落下したとき等に、指当て用凹部の底面のうち前記中央部に負荷が集中し易く、しかもこの中央部に凸リブが設けられて前述のように補強されているので、該中央部に大きな負荷が蓄積され、該中央部の変形がある程度まで進行したときにこの中央部が局所的に大きく変形し、この変形が起点となって、ピンチグリップ式ボトル型容器の全体が座屈変形したり、あるいは指当て用凹部の全体が膨出変形したりするおそれがあった。
【０００４】
本発明は、上述した事情に鑑みてなされたものであって、その目的は、指当て用凹部の底面の中央部が局所的に大きく変形するのを抑制することができるピンチグリップ式ボトル型容器を提供することである。
【課題を解決するための手段】
【０００５】
上記課題を解決するために、この発明は以下の手段を提案している。
本発明に係るピンチグリップ式ボトル型容器は、胴部において、口部の中心軸線を径方向で挟んで互いに対向して位置する一対の側面領域にそれぞれ、指当て用凹部が形成され、前記一対の側面領域同士の間に位置する背面領域を含むこれらの指当て用凹部の相互間の全領域がグリップ部とされたピンチグリップ式ボトル型容器であって、それぞれの指当て用凹部の底面には、前記中心軸線方向に間隔をあけて一対の凸リブが備えられ、前記一対の凸リブ同士の前記中心軸線方向に沿った距離は、前記指当て用凹部の外周縁のうち前記口部側の上端縁と、前記一対の凸リブのうち前記口部側に位置する上側凸リブと、の前記中心軸線方向に沿った距離、及び前記指当て用凹部の外周縁のうちこの容器の底部側の下端縁と、前記一対の凸リブのうち前記底部側に位置する下側凸リブと、の前記中心軸線方向に沿った距離よりも大きくなっていることを特徴とするものである。
【０００６】
本発明に係るピンチグリップ式ボトル型容器によれば、一対の凸リブ同士の前記中心軸線方向に沿った距離が、指当て用凹部の前記上端縁と上側凸リブとの前記中心軸線方向に沿った距離、及び指当て用凹部の前記下端縁と下側凸リブとの前記中心軸線方向に沿った距離よりも大きくなっているので、指当て用凹部の底面の前記中心軸線方向の中央部に応力が集中するのを抑制することが可能になる。従って、例えば圧縮方向の軸力が作用したとき、あるいは内容物が充填された状態で落下したとき等に、指当て用凹部の底面のうち前記中央部に負荷が蓄積されるのを抑制することが可能になり、この中央部が局所的に大きく変形するのを防ぐことができる。これにより、前記中央部の局所的な変形を起点として、ピンチグリップ式ボトル型容器の全体が座屈変形したり、あるいは指当て用凹部の全体が膨出変形したりするのを防ぐことができる。
【０００７】
また、本発明に係るピンチグリップ式ボトル型容器では、前記指当て用凹部は、前記底面と、該底面の外周縁から径方向外方に向けて立ち上がる複数の側壁面と、を備え、前記凸リブは、前記背面領域と、前記胴部において前記背面領域の反対側に位置する正面領域と、が互いに対向する前後方向に沿って延在し、前記凸リブの前端と、前記指当て用凹部の外周縁のうち前記正面領域側の前端縁との前記前後方向に沿った距離は、前記凸リブの後端と、前記指当て用凹部の外周縁のうち前記背面領域側の後端縁との前記前後方向に沿った距離よりも大きくなっていることが好ましい。
【０００８】
この場合、凸リブの前端と、指当て用凹部の前記前端縁との前後方向に沿った距離が、凸リブの後端と、指当て用凹部の前記後端縁との前後方向に沿った距離よりも大きくなっているので、指当て用凹部の底面が陥没変形し易くなるのを抑制しつつ、この凹部の底面の前記中心軸線方向の中央部に応力が集中するのを一層抑制することができると共に、前記グリップ部を把持したときに、指を凸リブに引っ掛け易くすることが可能になる。
【発明の効果】
【０００９】
本発明に係るピンチグリップ式ボトル型容器によれば、指当て用凹部の底面の中央部が局所的に大きく変形するのを抑制することができる。
【発明を実施するための最良の形態】
【００１０】
〔第１実施形態〕
以下、本発明に係る第１実施形態を、図１から図４を参照して説明する。
この実施形態に係るピンチグリップ式ボトル型容器１は、図１から図３に示すように、胴部２のうち、口部３の中心軸線Ｏを径方向で挟んで互いに対向して位置する一対の側面領域２ａにそれぞれ、指当て用凹部４が形成され、一対の側面領域２ａ同士の間に位置する背面領域２ｂを含むこれらの指当て用凹部４の相互間の全領域がグリップ部Ｇとされている。
【００１１】
なお、本実施形態では、胴部２において背面領域２ｂの反対側に位置する領域を正面領域２ｃと称し、胴部２の側面視で正面領域２ｃと背面領域２ｂとが互いに対向する前後方向Ａに沿って正面領域２ｃ側を前側、背面領域２ｂ側を後側とする。また、前記中心軸線Ｏに沿ってピンチグリップ式ボトル型容器１の口部３側を上側、底部７側を下側とする。
【００１２】
図示の例では、胴部２の前記中心軸線Ｏ方向の上端部に肩部５が設けられるとともに、この肩部５の上端部に口部３が設けられ、これらの肩部５、口部３および胴部２は合成樹脂により一体的に形成されている。口部３には、図示されないキャップが螺着される雄ねじ部３ａが形成されている。肩部５は複数のパネル面５ａが前記中心軸線Ｏ回りに稜線をなして連結されて構成されている。
【００１３】
また、胴部２の背面領域２ｂには、胴部２内の減圧に伴う復元困難な変形を防止するための減圧吸収パネル６が形成されており、この減圧吸収パネル６がグリップ部Ｇの一部を構成している。
【００１４】
ここで、指当て用凹部４は、底面８と、この底面８の外周縁から径方向外方に向けて立ち上がる複数の側壁面９と、を備えている。また、この指当て用凹部４は、胴部２の側面視で前記中心軸線Ｏ方向に長い長方形状を呈している。以下では、これらの側壁面９のうち、後側を向く側壁面９を前壁面９ａと称し、前側を向く側壁面９を後壁面９ｂと称する。なお、前壁面９ａ及び後壁面９ｂは、底面８から径方向外側に向かうに従い漸次互いに離間するように傾斜している。
【００１５】
そして、本実施形態では、各指当て用凹部４の底面８には、図２から図４に示すように、前記中心軸線Ｏ方向に間隔をあけて一対の凸リブ１０、１１が備えられている。一対の凸リブ１０、１１同士の前記中心軸線Ｏ方向に沿った距離Ｌ１（以下、凸リブ間距離Ｌ１と称する）は、指当て用凹部４の外周縁のうち上側の上端縁４ａと、一対の凸リブ１０、１１のうち上側に位置する上側凸リブ１０と、の前記中心軸線Ｏ方向に沿った距離Ｌ２（以下、上側距離Ｌ２と称する）、及び指当て用凹部４の外周縁のうち下側の下端縁４ｂと、一対の凸リブ１０、１１のうち下側に位置する下側凸リブ１１と、の前記中心軸線Ｏ方向に沿った距離Ｌ３（以下、下側距離Ｌ３と称する）よりも大きくなっている。そして、一対の凸リブ１０、１１は、底面８において前記中心軸線Ｏ方向の中央部を回避した位置に形成されている。なお、各凸リブ１０、１１の径方向外方端は、指当て用凹部４の外周縁よりも径方向内側に位置している。
【００１６】
図示の例では、各凸リブ１０、１１は、前後方向Ａに長い長方形状を呈し、それぞれが互いにほぼ平行となって前後方向Ａに延在している。これらの凸リブ１０、１１により、指当て用凹部４の底面８は前記中心軸線Ｏ方向に沿って３つに区画されている。また、各凸リブ１０、１１は、前記中心軸線Ｏ方向の大きさが互いに等しく、いずれも指当て用凹部４の底面８の前記中心軸線Ｏ方向に沿った長さの約１／１２になっている。
【００１７】
なお、図示の例では、凸リブ間距離Ｌ１は、上側凸リブ１０において底面８に連なる基端のうち下側に位置する下基端と、下側凸リブ１１において底面８に連なる基端のうち上側に位置する上基端との前記中心軸線Ｏ方向に沿った距離となっている。また、上側距離Ｌ２は、上側凸リブ１０において底面８に連なる基端のうち上側に位置する上基端と、指当て用凹部４の前記上端縁４ａとの前記中心軸線Ｏ方向に沿った距離となっている。また、下側距離Ｌ３は、下側凸リブ１１において底面８に連なる基端のうち下側に位置する下基端と、指当て用凹部４の前記下端縁４ｂとの前記中心軸線Ｏ方向に沿った距離となっている。そして、凸リブ間距離Ｌ１と、上側距離Ｌ２と、下側距離Ｌ３との比率は、概ね５：３：２になっている。
【００１８】
ここで、各凸リブ１０、１１はいずれも同一の形状に形成されているので、以下では、上側凸リブ１０の形状について説明し、下側凸リブ１１の説明を省略する。
図４に示すように、上側凸リブ１０の前端部１０ａは、前壁面９ａにおける前側の端部に連結され、上側凸リブ１０の後端部１０ｂは、後壁面９ｂにおける後側の端部に連結されている。また、胴部２の横断面視において、上側凸リブ１０の前端部１０ａは凸曲面状をなし、後端部１０ｂは凹曲面状をなし、さらにこれらの間の位置する部分は、底面８の表面形状に沿った凹曲面状をなしている。
【００１９】
以上説明したように、本実施形態に係るピンチグリップ式ボトル型容器１によれば、凸リブ間距離Ｌ１が、上側距離Ｌ２、及び下側距離Ｌ３よりも大きくなっているので、指当て用凹部４の底面８の前記中心軸線Ｏ方向の中央部に応力が集中するのを抑制することが可能になる。従って、例えば圧縮方向の軸力が作用したとき、あるいは内容物が充填された状態で落下したとき等に、指当て用凹部４の底面８のうち前記中央部に負荷が蓄積されるのを抑制することが可能になり、この中央部が局所的に大きく変形するのを防ぐことができる。これにより、前記中央部の局所的な変形を起点として、ピンチグリップ式ボトル型容器１の全体が座屈変形したり、あるいは指当て用凹部４の全体が膨出変形したりするのを防ぐことができる。
【００２０】
〔第２実施形態〕
次に、本発明に係る第２実施形態を、図５及び図６を参照して説明する。
なお、この第２実施形態においては、第１実施形態における構成要素と同一の部分については同一の符号を付しその説明を省略し、異なる点についてのみ説明する。
【００２１】
本実施形態に係るピンチグリップ式ボトル型容器２０では、上記第１実施形態における一対の凸リブ１０、１１と異なる形状の一対の凸リブ２１、２２が、上側凸リブ２１、下側凸リブ２２としてそれぞれ形成されている。図５及び図６に示すように、上側凸リブ２１は、前後方向Ａに沿って延在し、上側凸リブ２１の前端２１ｅと、指当て用凹部４の外周縁のうち前側の前端縁４ｃとの前後方向Ａに沿った距離Ｌ４１（以下、前側距離Ｌ４１と称する）は、上側凸リブ２１の後端２１ｆと、指当て用凹部４の外周縁のうち後側の後端縁４ｄとの前後方向Ａに沿った距離Ｌ５１（以下、後側距離Ｌ５１と称する）よりも大きくなっている。また、下側凸リブ２２も同様に、前後方向Ａに沿って延在し、下側凸リブ２２の前端２２ｅと、指当て用凹部４の前記前端縁４ｃとの前後方向Ａに沿った距離Ｌ４２（以下、前側距離Ｌ４２と称する）は、下側凸リブ２２の後端２２ｆと、指当て用凹部４の前記後端縁４ｄとの前後方向Ａに沿った距離Ｌ５２（以下、後側距離Ｌ５２と称する）よりも大きくなっている。
【００２２】
ここで、各凸リブ２１、２２はいずれも同一の形状に形成されているので、以下では、上側凸リブ２１の形状について説明し、下側凸リブ２２の説明を省略する。
図６に示すように、上側凸リブ２１の前端２１ｅは、前壁面９ａの後側の端部に連結され、上側凸リブ２１の後端２１ｆは、後壁面９ｂにおける後側の端部に連結されている。また、胴部２の横断面視において、上側凸リブ２１の前端部２１ａは凸曲面状をなし、後端部２１ｂは凹曲面状をなし、さらにこれらの間の位置する部分は、底面８の表面形状に沿った凹曲面状をなしている。上側凸リブ２１の前端部２１ａは、胴部２における前後方向Ａの中央部よりも後側にずれて位置している。また、上側凸リブ２１は、前側を向く前端面２１ｃを有している。この前端面２１ｃと、前壁面９ａとの前後方向Ａに沿った距離は、径方向外側に向かうに従い漸次離れるようになっている。
【００２３】
本実施形態に係るピンチグリップ式ボトル型容器２０によれば、上記第１実施形態のピンチグリップ式ボトル型容器１と同様の作用効果を奏することができる。
また、各凸リブ２１、２２の前側距離Ｌ４１、４２が、それぞれの後側距離Ｌ５１、５２よりも大きくなっているので、指当て用凹部４の底面８が陥没変形し易くなるのを抑制しつつ、この凹部４の底面８の前記中心軸線Ｏ方向の中央部に応力が集中するのを一層抑制することができると共に、前記グリップ部Ｇを把持したときに、指を各凸リブ２１、２２に引っ掛け易くすることが可能になる。
【００２４】
なお、本実施形態では、両凸リブ２１、２２とも、それぞれ前側距離Ｌ４１、Ｌ４２が後側距離Ｌ５１、Ｌ５２より長くなっているとしたが、いずれか一方の凸リブのみ、その前側距離がその後側距離より長くなっていても構わない。
【００２５】
なお、本発明の技術的範囲は上記実施形態に限定されるものではなく、本発明の趣旨を逸脱しない範囲において種々の変更を加えることが可能である。
例えば、上記実施形態では、上側距離Ｌ２と下側距離Ｌ３とを、上側距離Ｌ２が大きくなるように異ならせたが、下側距離Ｌ３が大きくなるように異ならせても構わず、また、上側距離Ｌ２と下側距離Ｌ３とを等しくしても構わない。上側距離Ｌ２と下側距離Ｌ３とを等しくした場合、指当て用凹部４において、上側と下側のいずれか一方に応力が集中するのを抑えることができる。
【００２６】
また、指当て用凹部４の前記上端縁４ａと上側凸リブ１０、２１との間に他の凸リブを設けても構わない。更に、指当て用凹部４の前記下端縁４ｂと下側凸リブ１１、２２との間にも、同様に他の凸リブを設けても構わない。
また、各実施形態における各凸リブ１０、１１、２１、２２の形状は同一でなくてもよく、異ならせても構わない。
【００２７】
その他、本発明の趣旨に逸脱しない範囲で、上記実施形態における構成要素を周知の構成要素に置き換えることは適宜可能であり、また、上記した変形例を適宜組み合わせてもよい。
【図面の簡単な説明】
【００２８】
【図１】本発明に係る第１実施形態のピンチグリップ式ボトル型容器の正面図である。
【図２】図１に示したピンチグリップ式ボトル型容器の側面図である。
【図３】図１に示したピンチグリップ式ボトル型容器の背面図である。
【図４】図２に示す断面矢視Ａ−Ａ図である。
【図５】本発明に係る第２実施形態のピンチグリップ式ボトル型容器の側面図である。
【図６】図５に示す断面矢視Ｂ−Ｂ図である。
【符号の説明】
【００２９】
１、２０  ピンチグリップ式ボトル型容器
２  胴部
２ａ  側面領域
２ｂ  背面領域
２ｃ  正面領域
３  口部
４  指当て用凹部
４ａ  上端縁
４ｂ  下端縁
４ｃ  前端縁
４ｄ  後端縁
７  底部
８  底面
９  側壁面
９ａ  前壁面
９ｂ  後壁面
１０、２１  上側凸リブ
１１、２２  下側凸リブ
２１ｅ、２２ｅ  前端
２１ｆ、２２ｆ  後端
Ａ  前後方向
Ｇ  グリップ部
Ｌ１  凸リブ間距離（距離）
Ｌ２  上側距離（距離）
Ｌ３  下側距離（距離）
Ｌ４１、Ｌ４２  前側距離（距離）
Ｌ５１、Ｌ５２  後側距離（距離）
Ｏ  中心軸線
【図１】
0005072717.tif 000002
【図２】
0005072717.tif 000003
【図３】
0005072717.tif 000004
【図４】
0005072717.tif 000005
【図５】
0005072717.tif 000006
【図６】
0005072717.tif 000007